(57)【特許請求の範囲】
【請求項１】
上端で手摺りを支持する支柱の内部に、この支柱の前記上端とは反対側の端部が建物躯体に取り付けられて前記支柱の長さ方向へ延びる中子が配置され、この中子の上端に、この中子と前記支柱との間に架設されて前記中子を前記支柱の長さ方向に引っ張る架設部材が設けられ、第１のビスで前記支柱に固定されるこの架設部材は、中央の高位の第１水平部と、この第１水平部と前記架設部材の両側の低位の第２水平部間を繋ぐ垂直部とを有し、前記第２水平部は前記支柱の前記上端と対向し、前記第１水平部に前記支柱の長さ方向外方から内方に向かって挿通された第２のビスが前記中子にねじ込まれ、このねじ込みによって前記第２水平部から前記支柱の前記上端に押圧力を作用させる前記架設部材の前記垂直部の弾性傾斜によるばね作用と、前記第２のビスからの引き上げ作用とにより前記中子に前記支柱の長さ方向への引張力が付与されることを特徴とする手摺りの支持構造。
【請求項２】
請求項１に記載の手摺りの支持構造において、前記架設部材の前記第２水平部に前記手摺りが結合されていることを特徴とする手摺りの支持構造。
【発明の詳細な説明】
【０００１】
【発明の属する技術分野】
本発明は、例えば、バルコニ等に設置される手摺りの支持構造に係り、建物外部の手摺りや、建物内部の手摺りに利用できるものである。
【０００２】
【背景技術】
例えば、バルコニに設けられる手摺りは支柱で支持され、支柱で支持された手摺りの支持強度を大きくするために、従来一般的に手摺りと支柱とを締結するためのビスとして直径の大きなものを使用したり、ビスの使用本数を多くすることが行われていたが、これによるとコストアップの要因になるため、支柱の内部に上下方向を軸方向とするボルトを配置し、このボルトに螺合されて支柱に当接させたナットをさらに螺進させることにより、ボルトに軸方向の予圧引張力を生じさせ、この予圧引張力によって手摺りの支持強度を大きくするようにした構造が知られている。
【０００３】
【発明が解決しようとする課題】
ナットが螺合されるボルトは規格された長さで生産され、所望の任意な長さを有するものとはなっていない。これに対して手摺りを支持する支柱の長さは、その建物や、手摺り設置個所、あるいは手摺りのデザイン等を考慮して種々の長さに設定される。このため、ボルトに予圧引張力を生じさせて手摺りの支持強度を向上させるようにした上記従来技術は、支柱の長さが規格されたボルトを使用できる長さになっているときにのみ適用でき、これ以外の場合には適用できないという問題があった。
【０００４】
本発明の目的は、支柱がどのような長さの場合であっても、予圧引張力による支持強度の向上を図ることができるようになる手摺りの支持構造を提供するところにある。
【０００５】
【課題を解決するための手段】
本発明に係る手摺りの支持構造は、一端部で手摺りを支持する支柱の内部に、この支柱の一端部とは反対側の一端部が建物躯体に取り付けられて支柱の長さ方向へ延びる中子が配置され、この中子の他端部に、この中子と前記支柱との間に架設されて中子を支柱の長さ方向に引っ張る架設部材が設けられていることを特徴とするものである。
【０００６】
本発明では、中子と支柱との間に架設される架設部材によって中子に予圧引張力が加えられることになり、この中子は、例えば押し出し成形品や引き抜き成形品等による長尺材を所定寸法に切断することにより得られ、中子を支柱の長さと対応した任意な長さにできるため、支柱がどのような長さであっても対処できることになる。
【０００７】
中子と支柱との間に架設される架設部材により中子を支柱の長さ方向に引っ張って予圧引張力を生じさせることは、架設部材と中子とを凹凸係合や溶接で結合しても行えるが、架設部材に支柱の長さ方向外方から内方に向かうビスを挿通し、このビスを中子にねじ込むことによって架設部材と中子とを結合しながら中子に支柱の長さ方向への引張力が与えられるようにすることが望ましい。
【０００８】
このようにビスを使用すると、ビスをねじ込むという簡単な作業により架設部材と中子とを結合しながら中子に予圧引張力を生じさせることができるようになり、また、ビスのねじ込み量で予圧引張力の大きさを調整できることになる。
【０００９】
支柱と手摺りとを結合するためにはそのための特別な部材を使用してもよいが、架設部材に支柱の外側に突出した突出部を設け、この突出部に手摺りを結合するようにすると、架設部材は支柱と手摺りとを連結するための部材を兼ねることになり、それだけ手摺りの支持構造の簡単化、部品点数に削減を実現できる。
【００１０】
また、架設部材は、中子と支柱の間に架設できるものであれば例えば平坦状の部材でもよいが、この架設部材を角度をなす複数の部分を有する屈曲形状にすることが好ましい。
【００１１】
このように架設部材が屈曲形状になっていると、架設部材は中子に予圧引張力を与えるために有効なばね作用を有することになり、架設部材によって確実に中子に引張力を付与できる。屈曲形状の向きは任意であり、この向きは支柱と中子の長さ関係等に応じて決めればよい。
【００１２】
以上の本発明に係る手摺りの支持構造は建物の任意な手摺りに適用でき、例えば、建物外部に張り出したバルコニの手摺り、建物内部に設けられた高齢者用、身体障害者用の手摺り等に適用でき、また、支柱と中子の長さ方向は上下方向に限られず、例えば、水平方向や、垂直方向に対して傾斜した斜め方向でもよい。
【００１３】
【発明の実施の形態】
以下に本発明の一実施形態を図面に基づいて説明する。図１は、本実施形態に係る手摺りの支持構造の断面図を示している。図２、図３は、図１で示された支柱１の内部に配置されている中子２の建物躯体への取付構造を示している。初めに、この中子２の取付構造を説明する。
【００１４】
図３に示されている通り、上方へ延びる中子２は溶接接合された上下２枚の板材３，４からなるベース部材５の上面に載せられ、上側の板材３には折り曲げで上方へ隆起した隆起部３Ａが形成され、下側の板材４に形成された開口部４Ａから挿入されたビス６が、アルミ合金製の押し出し成形品である中子２のビスポケット２Ａにねじ込まれることにより、中子２はベース部材５上に立設固定される。図２に示す通り、ベース部材５はブラケット７の上面に載せられ、この上面には２個の突片部７Ａが形成され、これらの突片部７Ａの間に位置決めされながらベース部材５は載せられる。
【００１５】
図１に示す通り、中子２を取り付けるべき建物躯体の内部、本実施形態ではバルコニの腰壁８の内部には予めアンカー部材９が埋設され、図２で示されているベース部材５に形成された孔５Ａおよびブラケット７に形成された孔に図１のビス１０を挿入してアンカー部材９にねじ込むことにより、ベース部材５とブラケット７は腰壁８に共締め結合され、ベース部材５に立設固定されている中子２はベース部材５、ブラケット７を介して腰壁８に結合される。
【００１６】
図４は、前記支柱１の取付構造を示している。ブラケット７に被せられて腰壁８の上端を覆うための笠木１１の下面には板状の裏部材１２が配置され、笠木１１の上面には笠木１１と支柱１との間に介設されるピース部材１３が配置される。これらの裏部材１２、笠木１１、ピース部材１３には中子２を挿通させるための孔１２Ａ，１１Ａ，１３Ａが設けられ、裏部材１３の下方からビス１４を裏部材１２、笠木１１、ピース部材１３に挿通し、さらにビス１４をアルミ合金製の押し出し成形品である支柱１のビスポケットにねじ込むことにより、支柱１は裏部材１２で補強された笠木１１の部分にピース部材１３を介して立設固定される。
【００１７】
ここで、図１に示すように笠木１１が腰壁８にブラケット７を介して取り付けれたとき、笠木１１は水勾配の角度分だけ水平方向から傾斜することになるため、ピース部材１３は、この水勾配と対応するように、室外側端部と室内側端部とで厚さが異なる不均一厚さになっている。具体的に説明すると、図５に示すように、ピース部材１３は、本体１５と、この本体１５の上面と下面とに粘着剤で固定された防水シール部材１６，１７とからなり、これらの防水シール部材１６，１７の厚さは均一で、本体１５の厚さは笠木１１の水勾配方向に変化した不均一厚さとなっている。厚さの小さい室外側端部には、室外側端部であることを示すマークである小突起１５Ａが形成され、ピース部材１３を笠木１１の上面に置くとき、防水シート部材１６，１７の各表面に貼られていた剥離紙を剥がした後、この小突起１５Ａを室外側にして置く。
【００１８】
また。図６に示されている通り、本体１５には下側の防水シール部材１７を貫通して下方に延びる２個の脚部１５Ｂが設けられており、これらの脚部１５Ｂを笠木１１に形成されている孔１１Ｂに挿入してピース部材１３を笠木１１上に配置する。
【００１９】
これにより、ピース部材１３は小突起１５Ａで正しい方向に向けられながら、孔１１Ｂと脚部１５Ｂとによる凹凸係合で笠木１１の正確な位置に設置されたことになり、このときの脚部１５Ｂは笠木１１に対するピース部材１３の位置決め部となる。そして、このピース部材１３上にビス１４で立設固定される支柱１は所定の正確位置に配置されることになる。このようにピース部材１３を介して笠木１１に支柱１を取り付けたとき、ピース部材１３の本体１５の厚さは室内外方向に変化しているため、支柱１は笠木１１に笠木１１の前記水勾配と対応する角度をなして取り付けられていることになる。また、ピース部材１３と支柱１との間、ピース部材１３と笠木１１の間は、前記防水シール部材１６，１７で密着防水シールされていることになり、これらの防水シール部材１６，１７は、ビス１４で支柱１がピース部材１３を介して笠木１１に締め付け結合されることにより圧縮されるため、防水性が向上する。
【００２０】
以上のように支柱１が取り付けられた笠木１１を上方から徐々に降ろし、裏部材１２、笠木１１、ピース部材１３の各孔１２Ａ，１１Ａ，１３Ａに中子２を挿入しながら、この中子２を図１に示す通り支柱１の内部まで入れて笠木１１をブラケット７に被せ、笠木１１の幅方向両端の係止部１１Ｃをブラケット７の同方向の両端部７Ｂに係止することにより、笠木１１をブラケット７に連結する。このときの笠木１１は室内側に下り傾斜した水勾配を有しているが、支柱１はピース部材１３の不均一厚さのため正確に垂直となっている。
【００２１】
図７は、支柱１と中子２の上端部分を示している。支柱１の内部に中子２が挿入されたとき、中子２の上端は支柱１の上端から図７で示す高さＨ’分突出している。このような支柱１と中子２との高さ関係は、支柱１がどのような長さであっても、押し出し成形品から得る中子２を所望長さに切断生産することにより実現できる。
【００２２】
中子２の上端に架設部材１８が載せられ、この架設部材１８は図８に示す通り平面四角形であるとともに、図７に示されているように中央の高位の第１水平部１８Ａと、両側の低位の第２水平部１８Ｂと、これらの水平部間を繋ぐ垂直部１８Ｃとからなる屈曲形状になっている。第１水平部１８Ａに上方から下方に２本のビス１９を挿通し、これらのビス１９を支柱１のビスポケット１Ａにねじ込み、また、第１水平部１８Ａに上方から下方に２本のビス２０を挿通し、これらのビス２０を中子２のビスポケット２Ａにねじ込む。
【００２３】
これにより架設部材１８は支柱１と中子２とに架設固定される。中子２のビスポケット２Ａにねじ込まれたビス２０をさらに強くねじ込むと、ビス２０からの引き上げ作用により中子２は上方に引っ張られ、中子２の上端が支柱１の上端から高さＨ分突出することにより、その突出分に応じた予圧引張力が中子２に付与されることになる。このような予圧引張力はビス２０をねじ込むという簡単な作業を行うことにより発生させることができ、ビス２０のねじ込み量により予圧引張力の大きさを調整できる。
【００２４】
また、ビス２０を介して中子２を上方へ引っ張っている架設部材１８は水平部１８Ａと垂直部１８Ｃとを有する屈曲形状であるため、支柱１の上端と中子２の上端とが同じ高さになっていて架設部材が単なる水平部材となっている場合と比べ、垂直部１８Ｃが弾性傾斜することによるばね作用も期待でき、このため、中子２に予圧引張力を発生させることを有効に実現できる。
【００２５】
以上のように支柱１と中子２とに架設部材１８が架設されるときには、上部材２１と下部材２２からなる手摺り２３の下部材２２は、この下部材２２に形成されている開口部に支柱１が挿入されることにより、支柱１に嵌合されており、下部材２２に内方に延出形成された延出部２２Ａが支柱１の上端に載せられている。図８で示されている通り、架設部材１８の前記第２水平部１８Ｂは支柱１の外側に突出した突出部となっており、この突出部にビス２４で延出部２２Ａを結合する。これにより、手摺り２１の下部材２２は架設部材１８を介して支柱１と中子２に連結されたことになり、中子２を上方に引っ張るための架設部材１８を利用してこの連結を行うため、それだけ構造の簡単化、部品点数の削減が達成される。
【００２６】
なお、架設部材１８の第１水平部１８Ａにビス１９，２０を挿通してこれらのビスを支柱１のビスポケット１Ａ、中子２のビスポケット２Ａにねじ込むことは、ビス２４により架設部材１８に下部材２２を結合した後に行ってもよい。
【００２７】
この後、断面半円形の下部材２２の両端部２２Ｂに断面半円形の上部材２１の両端係合部２１Ａを係合することにより、断面円形の手摺り２３が形成され、この手摺り２３は支柱１の上端で支持されていることになる。
【００２８】
そして、手摺りの支持強度は、支柱１の内部の中子２の予圧引張力が付与されているため、大きくなっている。
【００２９】
【発明の効果】
本発明によると、支柱の内部に中子を挿入し、この中子の上端に、中子と支柱とに架設されて中子を上方へ引っ張る架設部材を設けたため、支柱がどのような長さの場合であっても、予圧引張力が付与される中子をこの支柱の長さに対応する長さに設定できるという効果を得られる。
【図面の簡単な説明】
【図１】本発明の一実施形態の構造を示す縦断面図である。
【図２】図１で示された中子の取付構造を示す斜視図である。
【図３】図２の中子とベース部材との結合状態を示す図である。
【図４】図１で示された支柱と笠木等の分解斜視図である。
【図５】支柱と笠木との間に介設されるピース部材の分解斜視図である。
【図６】図６のピース部材が笠木に位置決め配置されることを示す図である。
【図７】手摺りが支持される支柱と中子の上端部分の図である。
【図８】図７で示された手摺りを構成する上部材が下部材に取り付けられる前における図７の平面図である。
【符号の説明】
１  支柱
２  中子
５  ベース部材
７  ブラケット
８  建物躯体であるバルコニの腰壁
１１  笠木
１３  ピース部材
１８  架設部材
１８Ａ，１８Ｂ  水平部
１８Ｃ  垂直部
２３    手摺り
１９，２０  ビス
【図１】
0003549996.tif 000002
【図２】
0003549996.tif 000003
【図３】
0003549996.tif 000004
【図４】
0003549996.tif 000005
【図５】
0003549996.tif 000006
【図６】
0003549996.tif 000007
【図７】
0003549996.tif 000008
【図８】
0003549996.tif 000009